(57)【要約】【課題】飲料水自動販売機へこの投入具で数本の飲料水缶やペットボトルを自動販売機の飲料水缶やペットボトルの投入口へ連続して投入すると時間の短縮と労力を軽減することができる飲料水缶やペットボトルの自動販売機への投入具を提供する。【解決手段】飲料水缶やペットボトルを図１投入具に入れて後方を持ち上げると缶やペットボトルが転げて、長方形の缶止板３で止まる。この投入具を自動販売機の飲料水缶やペットボトル投入口に持ち上げて，この長方形の缶止板ワイヤーの引き手を缶止板ワイヤー留から外すと缶の重さで長方形の缶止板３が前方に倒れて，飲料水缶やペットボトルが転げ落ちるようにした自動販売機の缶投入口への投入具である。【選択図】図１
2011258100.tif 000002
【特許請求の範囲】
【請求項１】
断面がＵ字形の箱の短い一辺を取り除いた部分に飲料水缶やペットボトルを止める長方形の缶止板が底板を基点に前後に回転するようについている飲料水缶やペットボトルの自動販売機の飲料水缶やペットボトルの投入口に飲料水缶やペットボトルを投入する投入具。
【請求項２】
断面がＵ字形の箱の短い一辺を取り除いた部分に飲料水缶やペットボトルを止める長方形の缶止板は底板を基点に前後に回転するようについた長方形の缶止板の側辺に缶止板ワイヤーをつけて断面がＵ字形の箱の側辺に缶止板ワイヤー通路の溝と缶止板ワイヤーの引き手を断面がＵ字形の箱の側辺の缶止板ワイヤー留に缶止板ワイヤー引き手を留める飲料水缶やペットボトルの自動販売機の飲料水缶やペットボトルの投入口に飲料水缶やペットボトルを投入する投入具。
【請求項３】
断面がＵ字形の箱の短い一辺を取り除いた部分に飲料水缶やペットボトルを止める長方形の缶止板が底板を基点に前後に回転するようにつけて、長方形の缶止板の前の自動販売機の缶投入口の乗せ掛ける部分を長方形の缶止板の厚さだけ下になるよう下げて底面を平らにした自動販売機の飲料水缶やペットボトルの投入口に飲料水缶やペットボトルを投入する投入具。
【請求項４】
断面がＵ字形の箱の側辺の長さの長方形の箱中缶仕切板を断面がＵ字形の箱の中につけ、断面がＵ字形の箱の箱中缶仕切板は、断面がＵ字形の箱の長方形の缶止板の後方の一辺を横に移動する溝やボルトをつける。この断面がＵ字形の箱の箱中缶仕切板に数本の腕木をつけ、この腕木の端を断面がＵ字形の箱の側板の中央の溝を移動する腕木付き移動板に腕木をつける。側板の中央の溝を移動する腕木付き移動板の腕木付き移動板つまみを前後に移動すると腕木の角度が変化して断面がＵ字形の箱の箱中缶仕切板が左右に移動して箱の中の横幅が変化するので高さの違う飲料水缶に調節できる飲料水缶やペットボトルの自動販売機の飲料水缶やペットボトルの投入口に飲料水缶やペットボトルを投入する投入具。
【請求項５】
断面がＵ字形の箱の短い一辺を取り除いた部分に飲料水缶やペットボトルを止める長方形の缶止板の方が低くなるように缶投入口側板の底板の下面に自動販売機投入口引き掛け板より高い支柱板をつけると飲料水缶やペットボトルが長方形の缶止板の方に転げるようにした飲料水缶やペットボトルの自動販売機の飲料水缶やペットボトルの投入口に飲料水缶やペットボトルを投入する投入具。
【請求項６】
断面がＵ字形の箱の短い一辺を取り除いた部分に飲料水缶やペットボトルを止める長方形の缶止板がある投入具の両側板に握り手を付けた飲料水缶やペットボトルの自動販売機の飲料水缶やペットボトルの投入口に飲料水缶やペットボトルを投入する投入具。
【請求項７】
断面がＵ字形の箱の短い一辺を取り除いた部分に飲料水缶やペットボトルを止める長方形の缶止板の反対側の一辺に四角の漏斗状の飲料水缶投入口を付けた飲料水缶やペットボトルの自動販売機の飲料水缶やペットボトルの投入口に飲料水缶やペットボトルを投入する投入具。
【請求項８】
断面がＵ字形の箱の短い一辺を取り除いた部分に飲料水缶やペットボトルを止める長方形の缶止板の反対側の一辺に四角の漏斗状の飲料水缶投入口の底板部分に急斜面板をつけ、断面がＵ字形の箱の漏斗状の飲料水缶投入口の箱中缶仕切板の側辺にも同じ急斜面板をつけた飲料水缶やペットボトルの自動販売機の飲料水缶やペットボトルの投入口に飲料水缶やペットボトルを投入する投入具。
【発明の詳細な説明】
【技術分野】
【０００１】
本考案は、自動販売機の飲料水缶やペットボトルの投入口に飲料水缶やペットボトルを入れる投入具に関するものである。
【背景技術】
【０００２】
従来は、飲料水缶やペットボトルを手で一本ずつ自動販売機の飲料水缶やペットボトルの投入口に入れるだけである。
【先行技術文献】
【特許文献】
【０００３】
【特許文献１】特開２００２−３１２８３９
【特許文献２】特開２００３−２５２３８８
【特許文献３】特開２００３−２２８７５３
【特許文献４】特開２００５−３３８９１０
【特許文献５】特開平４−１１５３９２
【特許文献６】特開平６−２７４７５０
【特許文献７】特開平１１−１１４７１
【発明の概要】
【発明が解決しようとする課題】
【０００４】
従来は、飲料水缶やペットボトルを手で1本1本を自動販売機の飲料水缶やペットボトルの投入口に入れている。これには次のような欠点があった。飲料水缶やペットボトルを手で1本ずつ自動販売機の投入口に入れるので時間がかかる。飲料水缶やペットボトルを手で1本ずつ持ち上げて自動販売機の投入口に入れるので労力がかかる。
本発明は、以上の欠点を解決するためになされたものである。
【課題を解決するための手段】
【０００５】
上記の問題点を解決するために，本発明は、自動販売機の飲料水缶やペットボトル投入口に飲料水缶やペットボトルを手で1本ずつ入れるのではなく、数本の飲料水缶やペットボトルを自動販売機の飲料水缶やペットボトル投入口に投入するのである。飲料水缶やペットボトルを断面がＵ字形の箱の投入具に入れる。断面がＵ字形の箱の短い一辺に飲料水缶やペットボトルを止める長方形の缶止板を付ける。この断面がＵ字形の箱の投入具の後方を持ち上げて傾斜をつけて飲料水缶の長方形の缶止板を前方に倒すと缶やペットボトルが転げ落ちるようにする。この投入具の前方の底板を自動販売機の缶投入口に乗せ掛ける板をつける。
【０００６】
長方形の缶止板を断面がＵ字形の箱の底板に回転するように蝶番で固定し前後に動くようにする。長方形の缶止板の側辺に缶止板ワイヤーをつけて、缶止板ワイヤーを後方に引く引き手をつける。側板に缶止板ワイヤー留をつける。この缶止板ワイヤーの引き手を缶止板ワイヤー留に留める。断面がＵ字形の箱に飲料水缶やペットボトルを入れる。この断面がＵ字形の箱の後方を持ち上げて長方形の缶止板の缶止板ワイヤーを缶止板ワイヤー留から缶止板ワイヤー引き手をはずすと飲料水缶の重さで長方形の缶止板が前方に倒れて飲料水缶が転げ落ちて自動販売機の飲料水缶投入口に投入される。
【０００７】
断面がＵ字形の箱の短い一辺を取り除いた部分に飲料水缶やペットボトルの長方形の缶止板が底板を基点に前後に回転するようにつけて、底面が平になるように長方形の缶止板の前の自動販売機の缶投入口の乗せ掛ける部分を長方形の缶止板の厚さだけ下になるよう下げて底面を平らにして、飲料水缶やペットボトルが転げ落ちやすいようにする。
【０００８】
断面がＵ字形の箱の側辺の長さと同じ長さの箱中缶仕切板を断面がＵ字形の箱の中につける。断面がＵ字形の箱の中の箱中缶仕切板は、断面がＵ字形の箱の後方の一辺を横に移動するように溝やボルトをつける。この断面がＵ字形の箱の箱中缶仕切板に数本の腕木をつけ、この腕木の端を断面がＵ字形の箱の側板の中央の溝を移動する腕木付き移動板に腕木をつける。側板の中央の溝を移動する腕木付き移動板が前後に移動すると腕木の角度が変化して断面がＵ字形の箱の箱中缶仕切板が左右に移動するので側板と断面がＵ字形の箱の箱中缶仕切板の横幅を調節することができる。高さの違ういろいろな飲料水缶を缶投入具に入れて自動販売機の飲料水缶やペットボトルの投入口に投入することができる。
【０００９】
断面がＵ字形の箱の長方形の缶止板の反対の短い一辺の底板の下面に前方の自動販売機投入口引き掛け板より高い支柱板をつけると後方の四角の漏斗状の投入口から飲料水缶やペットボトルを投入すると長方形の缶止板の方に飲料水缶やペットボトルが転がるようする。
【００１０】
断面がＵ字形の箱の短い一辺を取り除いた部分に飲料水缶やペットボトルを止める長方形の缶止板がある投入具の両側板に握り手を付けて飲料水缶やペットボトルを投入する投入具を自動販売機の飲料水缶やペットボトルの投入口まで持ち上げやすいようにする。
【００１１】
断面がＵ字形の箱の短い一辺を取り除いた部分に飲料水缶やペットボトルを止める長方形の缶止板の後方の一辺に四角の漏斗状の飲料水缶投入口を付けて、この投入具に飲料水缶やペットボトルを投入しやすくなる。
【００１２】
断面がＵ字形の箱の短い一辺を取り除いた部分に飲料水缶やペットボトルを止める長方形の缶止板の後方の一辺に四角の漏斗状の飲料水缶投入口の底板部分を急斜面にすると投入された飲料水缶が缶止板の方に転げやすくする。
【発明の効果】
【００１３】
飲料水の缶やペットボトルを手で1本ずつ入れるのではなく，数本の飲料水缶やペットボトルを飲料水缶やペットボトルの投入具に入れ、自動販売機の投入口に乗せ掛け板を乗せ掛けて飲料水缶やペットボトルの投入具の後方を持ち上げると、飲料水缶やペットボトルが長方形の缶止板で止まる。この投入具の長方形の缶止板の缶止板ワイヤーの引き手を缶止板ワイヤー留から外すと飲料水缶やペットボトルの重さで長方形の缶止板が前方に倒れて飲料水缶やペットボトルが転げ落ちて自動販売機の缶投入口に投入されるので時間がかからない。また、短時間で投入が終わるので労力がかからない。
【図面の簡単な説明】
【００１４】
【図１】本考案の斜視図である。
【図２】本考案の上部の正面図である。
【図３】本考案の長方形の缶止板の正面図である。
【図４】本考案の側面の正面図である。
【発明を実施するための形態】
【００１５】
断面がＵ字形の箱の短い一辺に飲料水缶やペットボトルを止める長方形の缶止板を付ける。長方形の缶止板を断面がＵ字形の箱の底板に回転するように蝶番で固定し前後に動くようにする。この投入具の前方の底板を自動販売機の缶投入口に乗せ掛けるように乗せ掛け板をつける。
【００１６】
長方形の缶止板の側辺に缶止板ワイヤーをつけて、缶止板ワイヤーを後方に引く引き手をつける。側板に缶止板ワイヤー通路の溝と缶止板ワイヤー留をつける。断面がＵ字形の箱の後方を持ち上げて長方形の缶止板の缶止板ワイヤーの引き手を缶止板ワイヤー留から外すと飲料水缶の重さで長方形の缶止板が前方に倒れる。
【００１７】
断面がＵ字形の箱の短い一辺を取り除いた部分に飲料水缶やペットボトルを止める長方形の缶止板が底板を基点に前後に回転するようにつけて、底面が平になるように長方形の缶止板の前の自動販売機の缶投入口の乗せ掛ける部分を長方形の缶止板の厚さだけ下になるよう下げると底板と倒れた長方形の缶止板部分が平らになる。
【００１８】
断面がＵ字形の箱の中に側辺の長さと側辺の高さの箱中缶仕切板をつける。断面がＵ字形の箱の中の箱中缶仕切板は、断面がＵ字形の箱の後方の一辺を横に移動するように溝やボルトをつける。この断面がＵ字形の箱の中の箱中缶仕切板に数本の腕木をつけ、この腕木の端を断面がＵ字形の箱の側板の上面の中央の溝を移動する腕木付き移動板に腕木をつける。側板の中央の溝を移動する腕木付き移動板のつまみを前後に移動させると断面がＵ字形の箱の中の箱中缶仕切板が左右に移動するので側辺と断面がＵ字形の箱の中の箱中缶仕切板で横幅を調節できる。
【００１９】
断面がＵ字形の箱の短い一辺を取り除いた缶止板の部分の反対の一辺の底板の下面に前方の自動販売機投入口引き掛け板より高い支柱板をつけると後方の四角の漏斗状の投入口から飲料水缶やペットボトルを投入すると長方形の缶止板の方が低いので飲料水缶やペットボトルが缶止板の方に転がる。
【００２０】
断面がＵ字形の箱の短い一辺を取り除いた部分に飲料水缶やペットボトルを止める長方形の缶止板がある投入具の両側板に握り手を付けて飲料水缶やペットボトルを投入する投入具を自動販売機の飲料水缶やペットボトルの投入口まで持ち上げやすいようにする。
【００２１】
断面がＵ字形の箱の短い一辺を取り除いた部分に飲料水缶やペットボトルを止める長方形の缶止板の反対の一辺に四角の漏斗状の飲料水缶投入口を付けるとこの投入具に飲料水缶やペットボトルを投入しやすくなる。
【００２２】
断面がＵ字形の箱の短い一辺を取り除いた部分に飲料水缶やペットボトルを止める長方形の缶止板の反対の一辺に四角の漏斗状の飲料水缶投入口の底板部分に急斜面板をつけ、断面がＵ字形の箱の中の箱中缶仕切板の側辺にも同じ急斜面板をつけると投入する飲料水缶やペットボトルが転げやすくなる。
【実施例】
【００２３】
本発明は、飲料水缶の数本の飲料水缶やペットボトルを自動販売機の飲料水缶やペットボトルの投入口に投入するのである。飲料水缶やペットボトルを入れる断面がＵ字形の箱の投入具図１に入れる。断面がＵ字形の箱の短辺の長方形の缶止板３で飲料水缶やペットボトルが止まる。この投入具の側板の後部の左側板握り２０と右側板握り２８を持ち上げ、缶止板ワイヤー引き手１１を缶止板ワイヤー留１２から外すと飲料水缶やペットボトルの重さで長方形の缶止板３が自動販売機の飲料水缶やペットボトル投入口の方に倒れ飲料水缶やペットボトルが転げ落ちて自動販売機の飲料水缶やペットボトルの投入口に投入される。
【００２４】
高さの違う飲料水缶やペットボトルは、図２の箱中缶仕切板４を調節するために腕木付き移動板つまみ５を前後に動かすと、腕木７の角度が変わり断面がＵ字形の箱の横幅が変わるのでいろいろな高さの違う飲料水缶やペットボトルを投入することができる。この図２の箱中缶仕切板４が固定されるように腕木付き移動板ストッパー２６で固定する。
【００２５】
図1の投入具に飲料水缶やペットボトルの箱から飲料水缶やペットボトルが投入しやすいように投入口を四角の漏斗状の投入口から缶投入具横側板２５と箱中缶仕切板投入口側板２４を広くしているので投入しやすい。また、投入した飲料水缶やペットボトルが投入口の底面に急斜面板２７で早く転げ落ちる。
【産業上の利用可能性】
【００２６】
飲料水缶やペットボトルを自動販売機の飲料水缶やペットボトルの投入口に投入する場合に、容易に、短時間で投入できる。そのため自動販売機のドアを開けておく時間が短いので、冷気が逃げる時間が少なく省ネルギーであり、また、交通の障害や缶購入者が待つ時間が少なく自動販売機を使用できるので不便を避けることができる。
【符号の説明】
【００２７】
１  自動販売機投入口引き掛け板
２  自動販売機投入口乗せ掛け板  
３  缶止板  
４  箱中缶仕切板    
５  腕木付き移動板つまみ      
６  腕木付き移動板
７  腕木    
８  右側板
９  箱中缶仕切板左右移動ボルト
１０  支柱板  
１１  缶止板ワイヤー引き手
１２  缶止板ワイヤー留  
１３  缶止板ワイヤー通路
１４  左側板  
１５  缶止板ワイヤー留穴
１６  長方形の缶止板蝶番
１７  腕木付き移動板押板
１８  腕木留ネジ
１９  腕木付き移動板通路溝
２０  左側板握り  
２１  箱中缶仕切板腕木留ネジ
２２  缶止板ワイヤー
２３  缶投入口右側板
２４  箱中缶仕切板投入口側板
２５  缶投入具横側板
２６  腕木付き移動板ストッパー
２７  急斜面板
２８  右側板握り
【図１】
2011258100.tif 000003
【図２】
2011258100.tif 000004
【図３】
2011258100.tif 000005
【図４】
2011258100.tif 000006